(57)【要約】【課題】前面基板と背面基板とが結合する時に加えられる圧力により隔壁を損傷することを防止することができ、隔壁の段差によって発生する騷音を最小化すること。【解決手段】プラズマディスプレイパネルは、放電空間を区画する複数個の隔壁240,250,260,270を含み、背面基板の外側領域に形成される少なくとも１つの外部隔壁260,270である第１隔壁が、外側領域の内部に形成される内部隔壁である第２隔壁240,250より広い幅を有する。【選択図】図５
2006190676.tif 000002
【特許請求の範囲】
【請求項１】
放電空間を区画する複数個の隔壁を含み、
背面基板の外側領域に形成される少なくとも１つの外部隔壁である第１隔壁が、前記外側領域の内部に形成される内部隔壁である第２隔壁より広い幅を有することを特徴とするプラズマディスプレイパネル。
【請求項２】
前記第１隔壁は、互いに対向する少なくとも一対の外部隔壁であることを特徴とする請求項1に記載のプラズマディスプレイパネル。
【請求項３】
前記第１隔壁は、表示領域の最外側に形成される放電空間を区画することを特徴とする請求項1に記載のプラズマディスプレイパネル。
【請求項４】
前記第１隔壁は、表示領域または／及び非表示領域に形成されることを特徴とする請求項1に記載のプラズマディスプレイパネル。
【請求項５】
前記第１隔壁は、横隔壁または／及び縦隔壁であることを特徴とする請求項1に記載のプラズマディスプレイパネル。
【請求項６】
前記第１隔壁は、互いに隣接した複数個の外部隔壁から構成され、
前記複数個の外部隔壁は、前記背面基板の中心領域から遠ざかるほど幅が広く形成されることを特徴とする請求項1に記載のプラズマディスプレイパネル。
【請求項７】
前記第１隔壁は、前記内部隔壁とほぼ同一の高さで形成されることを特徴とする請求項1に記載のプラズマディスプレイパネル。
【請求項８】
前記第１隔壁の幅は、４５〜３００００μｍの範囲であることを特徴とする請求項1に記載のプラズマディスプレイパネル。
【請求項９】
前記幅は、前記外部隔壁の上部幅であることを特徴とする請求項８に記載のプラズマディスプレイパネル。
【請求項１０】
前記第１隔壁の幅は、前記内部隔壁の幅に比べて１．５〜２００倍の範囲であることを特徴とする請求項1に記載のプラズマディスプレイパネル。
【請求項１１】
前記第１隔壁は、蛍光体が塗布されていないことを特徴とする請求項1に記載のプラズマディスプレイパネル。
【請求項１２】
前記第１隔壁の高さは、内部隔壁の高さより低く形成されていることを特徴とする請求項1に記載のプラズマディスプレイパネル。
【請求項１３】
放電空間を区画する複数個の隔壁を含み、背面基板の外側領域に形成される少なくとも１つの外部隔壁である第１隔壁は、内側領域に形成される内部隔壁である第２隔壁の幅に比べて１．５〜２００倍の範囲で形成されることを特徴とするプラズマディスプレイパネル。
【請求項１４】
前記第１隔壁の幅は、４５〜３００００μｍの範囲で形成されることを特徴とする請求項１３に記載のプラズマディスプレイパネル。
【請求項１５】
前記幅は、前記隔壁の上部幅であることを特徴とする請求項１３に記載のプラズマディスプレイパネル。
【請求項１６】
背面基板の内側領域に形成されて放電空間を区画する内部隔壁と、
背面基板の外側領域に形成されて放電空間を区画する外部隔壁とを含み、
前記背面基板から外部隔壁の最上部までの高さが、前記内部隔壁の最上部までの高さより低く形成されることを特徴とするプラズマディスプレイパネル。
【請求項１７】
前記外部隔壁の幅は、前記内部隔壁の幅より広く形成されることを特徴とする請求項１６に記載のプラズマディスプレイパネル。
【請求項１８】
前記外部隔壁の幅は、内部隔壁の幅に比べて１．５〜２００倍の範囲であることを特徴とする請求項１６に記載のプラズマディスプレイパネル。
【請求項１９】
前記外部隔壁の幅は、４５〜３００００μｍの範囲で形成されることを特徴とする請求項１６に記載のプラズマディスプレイパネル。
【請求項２０】
前記外部隔壁は、横隔壁または／及び縦隔壁であることを特徴とする請求項１６に記載のプラズマディスプレイパネル。
【発明の詳細な説明】
【技術分野】
【０００１】
本発明は、プラズマディスプレイパネルに関し、背面基板上に形成される隔壁の構造及び隔壁が形成されたプラズマディスプレイパネルに関する。
【背景技術】
【０００２】
プラズマディスプレイパネル装置は、隔壁が形成された背面基板及びこれと対向する前面基板間に放電セルが形成され、各放電セルの内部の不活性ガスが高周波電圧により放電する際に発生する真空紫外線が、蛍光体を発光させることによって映像を実現する装置である。
【０００３】
図１は、一般的なプラズマディスプレイパネルに形成される電極の平面図であり、図２は、一般的なプラズマディスプレイパネルの放電セルを示す断面図である。
まず、放電セルは、前面基板１０に対向する背面基板上に放電空間を区画する複数個の隔壁２４により形成される。
【０００４】
背面基板１８上には、アドレス電極１２Ｘが形成され、前面基板１０上には、スキャン電極１２Ｙ及びサステイン電極１２Ｚが対をなして形成される。図１に示すように、アドレス電極１２Ｘは、スキャン電極１２Ｙ及びサステイン電極１２Ｚに交差している。図２に図示された背面基板１８は、９０゜回転して図示したものである。
【０００５】
アドレス電極１２Ｘが形成された背面基板１８上には、壁電荷蓄積のための誘電体層２２が形成される。
誘電体層上には、隔壁２４が形成されて、隔壁間に放電空間を形成し、放電により生成した紫外線及び可視光線が隣接した放電セルに漏洩されることを防止する。誘電体層２２と隔壁２４の表面には蛍光体２０が塗布される。
【０００６】
放電空間には不活性ガスが注入されるので、ガス放電時に発生した紫外線により蛍光体２０が励起されて、赤色、緑色または青色中のいずれかの１つの可視光線を発生することになる。
【０００７】
前面基板１０に形成されるスキャン電極１２Ｙ及びサステイン電極１２Ｚは、透明電極１２ａとバス電極１２ｂとからなり、アドレス電極１２Ｘと交差する。併せて、スキャン電極及びサステイン電極を覆う誘電体層１４と保護膜１６が形成される。
【０００８】
このような構造の放電セルは、アドレス電極１２Ｘとスキャン電極１２Ｙとの間の対向放電により選択された後、スキャン電極１２Ｙ及びサステイン電極１２Ｚとの間の面放電により放電が維持されて可視光を放出する。
【０００９】
図３は、一般的なプラズマディスプレイパネルの背面基板に形成された隔壁の構造が図示された図である。
背面基板１８上の領域は、画像が表示される表示領域と、画像が表示されない非表示領域とに区分でき、表示領域には複数個の隔壁２４が格子形態で形成されており、非表示領域上ではサイドベリアリブ（Side Barrier Rib、以下、「ＳＢＲ」という。）３０が形成されている。
【００１０】
ＳＢＲ３０は、非表示領域内に設けられて、前面基板１０と背面基板１８を結合するためのシーリング用ペーストまたは物質が表示領域に流入することを防止すると共に、系都合のために加えられる圧力により、表示領域内の隔壁２４が損傷することを防止する。
【００１１】
この際、表示領域上に形成される隔壁２４は、加工工程上で中央部の隔壁の高さより外部隔壁の高さが高くなる段差が発生することになり、ＳＢＲ３０も中央部の隔壁と段差が生じることになって、基板の結合密度が低下し、パネルに騷音が発生するという問題があった。
また、隔壁２４とＳＢＲ３０との段差によって、表示領域の中央部の隔壁が各放電空間を離隔できなくなることによって、クロストーク不良が発生した。
【発明の開示】
【発明が解決しようとする課題】
【００１２】
本発明は、上記の従来技術の問題を解決するためのものであり、その目的は、背面基板の表示領域の外側に形成された外部隔壁の幅が、外側領域の内部に形成された内部隔壁の幅より広く形成されるので、非表示領域にＳＢＲを形成する製造工程及びこれにかかる費用を低減するプラズマディスプレイパネルを提供することである。
【００１３】
また、本発明の他の目的は、前面基板と背面基板とが結合する時に加えられる圧力により隔壁を損傷することを防止することができ、隔壁の段差によって発生する騷音を最小化することにある。
【課題を解決するための手段】
【００１４】
上記の目的を達成するために、本発明に係るプラズマディスプレイパネルは、放電空間を区画する複数個の隔壁を含み、背面基板の外側領域に形成される少なくとも１つの外部隔壁である第１隔壁が、外側領域の内部に形成される内部隔壁である第２隔壁より広い幅を有することを特徴とする。
【００１５】
ここで、外部隔壁は、非表示領域に隣接した表示領域の外郭で水平または垂直方向に配列された複数個の隔壁を指し、内部隔壁は、外側領域の内部で水平または垂直方向に配列された複数個の隔壁を指す。この際、外部隔壁は、非表示領域にも拡張して形成可能である。
【００１６】
また、外部隔壁は、背面基板の中心領域から遠ざかるほど幅が広く形成することができる。
外部隔壁の幅は、内部隔壁の幅に比べて１．５倍〜２００倍の範囲で、より広く形成され、４５〜３０００μｍ以内である。この際、比較される幅は隔壁の上部幅である。
また、外部隔壁は、内部隔壁とほぼ同一の高さに形成される。
【発明の効果】
【００１７】
本発明によれば、背面基板の表示領域内の内側領域に形成された内部隔壁の幅より外側領域に形成された外部隔壁の幅が広く形成されて、前面基板と背面基板が結合する際に加えられる圧力により、隔壁が損傷するのを防止でき、内部隔壁と外部隔壁の高さがほぼ同一に形成されて、隔壁の段差による騷音を最小化することができる。
【発明を実施するための最良の形態】
【００１８】
以下、添付の図面を参照して、本発明に係る隔壁構造及び隔壁構造を有するプラズマディスプレイパネルの実施形態を説明すれば次のとおりである。
【００１９】
本発明に係るプラズマディスプレイパネルの実施形態としては、複数個が存在することができ、以下では、最も好ましい実施形態について説明する。
以下、本発明の好ましい実施形態を添付の図４乃至図９を参照しつつ詳細に説明する。
【００２０】
図４は、本発明に係るプラズマディスプレイパネルでの領域を区分するための図である。映像が表示される領域を表示領域といい、表示領域の外郭の領域を非表示領域という。
【００２１】
このような表示領域及び非表示領域に隔壁が形成されているが、表示領域内の隔壁上には蛍光体が塗布されているので画像が表示され、非表示領域内の隔壁上には蛍光体が塗布されていないので画像が表示されない。
【００２２】
したがって、図４に図示された表示領域は、点線で表示された四角形態に限るのではなく、非表示領域の上下部及び両側部の幅が非対称的である。
このように領域が区分されるプラズマディスプレイパネルの構成を簡略に注意深くみれば、次のとおりである。
【００２３】
まず、前面基板には、スキャン電極及びサステイン電極が対をなして形成され、各々は背面基板に形成されるアドレス電極と交差する。また、スキャン電極及びサステイン電極は、各々、透明導電性金属からなる透明電極と導電性金属で形成されるバス電極から構成される。
【００２４】
また、前面基板には、スキャン電極及びサステイン電極を覆うように、誘電体層が形成される。また、保護膜が誘電体層に積層するように形成される。
背面基板にはアドレス電極が形成され、アドレス電極を覆うように誘電体層が形成される。この誘電体層上には、放電空間を区画する複数個の隔壁が形成され、誘電体層と隔壁の表面に蛍光体が塗布される。
【００２５】
この際、隔壁は放電により生成した紫外線及び可視光線が、隣接した放電セルに漏洩されることを遮断して、クロストークが発生しないようにし、前面基板と結合する。
背面基板と隔壁との間に設けられた放電空間に不活性ガスが注入されて、ガス放電時に発生した紫外線により、蛍光体が励起されて可視光線が発生する。これで、赤色（R）、緑色（G）または青色（B）中のいずれかの色が表現される。
【００２６】
図５は、図４に図示されたプラズマディスプレイパネルの背面基板をＡ−Ａ'方向に切断した部位の平面図であり、これを参照して第１実施形態の隔壁の構造を説明する。図５において、ハッチング部分は隔壁の上側面の平面図を示す。
【００２７】
第１実施形態では、表示領域以内の背面基板上に放電空間を区画する隔壁２４０、２５０、２６０、２７０が形成される。
ここで、表示領域の外郭の内側に位置する隔壁を内部隔壁２４０、２５０といい、外郭に位置する隔壁を外部隔壁２６０、２７０という。また、内部隔壁２４０、２５０及び外部隔壁２６０、２７０は、図１に図示されたスキャン電極１２Ｙ及びサステイン電極１２Ｚと平行した方向に形成されることを横内部隔壁２４０及び横外部隔壁２７０といい、アドレス電極と平行した方向に形成されることを縦内部隔壁２５０及び縦外部隔壁２６０という。
【００２８】
ここで、外郭の縦外部隔壁２６０の幅ｙは、縦内部隔壁２５０の幅ｘより広く形成されて、従来の非表示領域に別途に形成されていたＳＢＲの機能に代える。したがって、図示のように、非表示領域上にはＳＢＲが存在しない。
【００２９】
一方、図５は、背面基板の一側平面図のみ図示されたものである。縦外部隔壁２６０は、背面基板の右側外郭に位置した隔壁を示しているので、これと対向する背面基板の左側外郭に位置した縦外部隔壁（図示していない）も隔壁の幅ｙと実質的に同一に形成される。
【００３０】
一方、横外部隔壁２７０は、複数個の横内部隔壁２４０と実質的に同一な幅で形成され、縦内部隔壁２５０は、実質的に同一な幅ｘで形成される。
隔壁の幅は、前面基板に向ける上部幅を意味し、現在の製造技術水準を考慮してみる時、縦内部隔壁２５０の幅ｘは、３０〜６０μｍ程度であり、縦外部隔壁２６０の幅ｙは、４５〜３００００μｍ程度で形成することが好ましい。
【００３１】
ここで、縦外部隔壁２６０の最低幅が４５μｍである理由は、４５μｍ未満に製造されれば基板結合過程で加えられる圧力により、外郭部に位置する隔壁が損傷できるためである。
そして、縦外部隔壁２６０の最大幅が３００００μｍである理由は、３００００μｍを超過して製造されれば、背面基板の塑性工程で外郭領域に位置する隔壁に熱が不均一に伝えられるので、隔壁の上部形状が変形できるためである。このように、隔壁の上部形状が変更されれば、クロストークなどの原因となって画質低下の問題が生じる。
【００３２】
即ち、縦外部隔壁２６０の幅ｙは、縦内部隔壁２５０の幅ｘに比べて１．５倍〜２００倍の範囲で十分広く形成されて、基板が結合する際に加えられる圧力に耐えることになる。
【００３３】
この際、内部隔壁２４０、２５０と外部隔壁２６０、２７０は、ほぼ同一の高さで形成され、格差による騷音現象を防止することができる。ここで、ほぼ同一の高さとは、隔壁製造工程が完了した後、基板結合時の隔壁の高さが同一になることを意味する。
【００３４】
したがって、製造工程上、不回避に中央部より外郭部の隔壁が高まる現状を考慮してみる時、製造工程による誤差を勘案して外部隔壁２６０、２７０を内部隔壁２４０、２５０より低く形成することができる。上記において、隔壁の高さとは、誘電体面から隔壁最上部までの高さである。
【００３５】
また、縦外部隔壁２６０が表示領域内の際外郭に形成される場合、非表示領域に向ける一面に蛍光体が塗布されないことがある。
図６は、第２実施形態の隔壁構造を説明するための図であって、内部隔壁２４０、２５０より大きな幅に形成された横外部隔壁２７１である点が特徴である。したがって、第１実施形態と重複する説明は省略する。
【００３６】
但し、図６では、横内部隔壁２４０の幅ｚと縦隔壁２５０の幅ｘが同一に図示されるが、設計者によって、これを相異なるように形成することができる。
したがって、第２実施形態では、横内部隔壁２４０の幅ｚは、３０〜６０μｍ程度であり、横外部隔壁２７１の幅ｒは、４５〜３００００μｍ程度で形成することが好ましい。
【００３７】
即ち、横外部隔壁２７１の幅ｒは、横内部隔壁２４０の幅ｚに比べて１．５倍〜２００倍で、十分広く形成されて、基板が結合する際に加えられる圧力に耐えられることになる。
したがって、複数個の縦内部隔壁２５０及び縦外部隔壁２６１は、実質的に同一の幅で形成され、横内部隔壁２４０も実質的に同一の幅で形成される。
【００３８】
一方、第２実施形態において横外部隔壁２７１は、背面基板の上側に位置した隔壁であって、背面基板の下側に位置した横外部隔壁（図示していない）と同一の幅で形成される。
【００３９】
図７は、第３実施形態の隔壁構造を説明するための図である。図７において、内部隔壁２４０、２５０の幅より大きく形成される外部隔壁が、縦外部隔壁２６２及び横外部隔壁２７２である点が特徴である。
【００４０】
したがって、表示領域の外郭を覆いかぶせる縦外部隔壁２６２及び横外部隔壁２７２が、全て縦内部隔壁２５０及び横内部隔壁２４０より幅が大きいので、パネル全体の平面図から見る時、表示領域の４面が全て内部隔壁２４０、２５０の幅より大きい外部隔壁２６２、２７２で囲まれる構造をなす。
【００４１】
第３実施形態のその他の部分は、第１及び第２実施形態と同一であるので、第３実施形態で第１及び第２実施形態と重複する説明を省略する。
【００４２】
図８は、第４実施形態の隔壁構造を説明するための図である。図８において、内部隔壁２４０、２５０の幅より大きく形成された外部隔壁２６３、２７３が、非表示領域に一部重なるように形成されたことが特徴である。
【００４３】
但し、非表示領域に一部重なるように形成される外部隔壁は第１実施形態のように縦外部隔壁であることができ、この際、縦外部隔壁２６３の幅ｙは縦内部隔壁２５０の幅ｘより１．５倍乃至２００倍でより広く形成される。
【００４４】
また、非表示領域に一部重なるように形成される外部隔壁は、第２実施形態のように横外部隔壁であることができ、この際、横外部隔壁２７３の幅ｒは、横内部隔壁２４０の幅ｚより１．５倍〜２００倍でより広く形成される。
そして、非表示領域に一部重なるように形成される外部隔壁は、第３実施形態のように縦外部隔壁２６３及び横外部隔壁２７３とすることができる。
【００４５】
図９は、第５実施形態の隔壁構造を説明するための図である。図９において、外部隔壁２６４ａ、２６４ｂは、表示領域内の縦内部隔壁２５０の幅より大きな幅を有し、第１縦外部隔壁２６４ａ及び第２縦外部隔壁２６４ｂを含んでいる。また、横外部隔壁２７４は、表示領域内の横内部隔壁２４０の幅と同一の幅を有している。
【００４６】
上記において、表示領域の外郭に近い第１縦外部隔壁２６４ａの幅ｙ１は、第２縦外部隔壁２６４ｂの幅ｙ２より広く形成される。
即ち、内部隔壁２４０、２５０より幅が大きい外部隔壁２６４ａ、２６４ｂが、複数ラインで形成された場合、外部隔壁の幅ｙ１、ｙ２は、背面基板の中心部から遠ざかるほど広く形成することができる。
【００４７】
第１及び第２縦外部隔壁２６４ａ、２６４ｂは、背面基板の右側外郭に位置した隔壁を示しているので、これと対向する背面基板の左側外郭に位置した縦外部隔壁（図示していない）も隔壁の幅ｙ１、ｙ２と実質的に同一に形成されるのであり、２以上の複数ラインで形成可能である。
【００４８】
第１実施形態乃至第５実施形態の構造を有する隔壁の製造方法は、スクリーンプリンティング法、添加法、感光性ペースト法、ＬＴＣＣＭ（Low Temperature Cofired Ceramic on Metal）方法、サンドブラスティング法、化学的エッチング法などを使用することができるが、本発明は、上記の方法に制限されることなく、その他の製造方法を使用することもできる。
【００４９】
上述したように、本発明に係るプラズマディスプレイパネルは、表示領域に位置して、中心部の隔壁より広い幅を有する外部隔壁が形成されることによって、従来の非表示領域に位置したＳＢＲの製造工程を省略することができる。また、従来のＳＢＲと隔壁との間に発生する段差によってパネルに発生する騷音を防止することができる。
【００５０】
以上、説明した内容を通じて、当業者であれば本発明の技術的思想から逸脱しない範囲内で多様な変更及び修正が可能であり、本発明の技術的範囲は、明細書に記載された内容に限られるものではない。
【図面の簡単な説明】
【００５１】
【図１】一般的なプラズマディスプレイパネルに形成される電極の平面図である。
【図２】一般的なプラズマディスプレイパネルの放電セルの断面図である。
【図３】一般的なプラズマディスプレイパネルの背面基板に形成された隔壁の構造図である。
【図４】本発明に係るプラズマディスプレイパネルの表示領域が図示された図である。
【図５】本発明に係るプラズマディスプレイパネルの第１実施形態図である。
【図６】本発明に係るプラズマディスプレイパネルの第２実施形態図である。
【図７】本発明に係るプラズマディスプレイパネルの第３実施形態図である。
【図８】本発明に係るプラズマディスプレイパネルの第４実施形態図である。
【図９】本発明に係るプラズマディスプレイパネルの第５実施形態図である。
【符号の説明】
【００５２】
１０    前面基板
１８    背面基板
２０    蛍光体
２２    誘電体層
２４、２４０、２５０、２６０、２７０    隔壁
【図１】
2006190676.tif 000003
【図２】
2006190676.tif 000004
【図３】
2006190676.tif 000005
【図４】
2006190676.tif 000006
【図５】
2006190676.tif 000007
【図６】
2006190676.tif 000008
【図７】
2006190676.tif 000009
【図８】
2006190676.tif 000010
【図９】
2006190676.tif 000011